(57)【要約】【課題】映像装置における画像や音声などについてユーザの嗜好に合致した調整を行う。【解決手段】評価履歴管理部２２０は、評価入力受付部２１０により受け付けられた今回の評価値および評価値保持部１１０に保持された前回の評価値に基づいて、連続性状態保持部１２０に保持される連続性状態および連続性指標保持部１３０に保持される連続性指標を更新する。調整量更新部２４０は、連続性状態および連続性指標に基づいて調整量保持部１４０に保持された調整量を更新する。提案パラメータ更新部２５０は、連続性状態、連続性指標および調整量に基づいて提案パラメータ保持部１５０に保持された提案パラメータを更新する。提案画質提示部２６０は、提案パラメータに基づいて信号線２０１による画像信号を変換して信号線２０９によって提案画質の画像を提示する。【選択図】図２
2007306520.tif 000002
【特許請求の範囲】
【請求項１】
時系列に設定されるパラメータに応じて入力信号を出力信号に変換する変換手段と、
前記出力信号に対する肯定または否定の評価値の入力を受け付ける評価入力受付手段と、
前記評価値の履歴に基づいて前記評価値の肯定または否定の連続性の程度および状態を生成する評価履歴管理手段と、
前記評価値の連続性の程度および状態に基づいて次のパラメータを生成するパラメータ生成手段と
を具備することを特徴とする信号変換装置。
【請求項２】
前記パラメータは前記変換のための少なくとも２種類のパラメータを含むことを特徴とする請求項１記載の信号変換装置。
【請求項３】
直前のパラメータによる前記出力信号に対する前記評価値を前回評価値として保持する前回評価値保持手段と、
前記評価値の連続性の程度を連続性指標として保持する連続性指標保持手段と、
前記評価値の連続性の状態を連続性状態として保持する連続性状態保持手段と
をさらに具備し、
前記評価履歴管理手段は、前記評価入力受付手段によって受け付けられた評価値および前記前回評価値保持手段に保持された評価値に基づいて前記連続性指標保持手段および前記連続性状態保持手段を更新する
ことを特徴とする請求項１記載の信号変換装置。
【請求項４】
直前のパラメータを前回パラメータとして保持する前回パラメータ保持手段と、
前記前回パラメータの生成の際の調整量を前回調整量として保持する前回調整量保持手段とをさらに具備し、
前記パラメータ生成手段は、前記連続性指標保持手段に保持された前記連続性指標、前記連続性状態保持手段に保持された前記連続性状態、および、前記前回調整量保持手段に保持された前記前回調整量に基づいて次のパラメータの生成のための調整量を算出する調整量算出手段と、前記連続性状態保持手段に保持された前記連続性状態、前回パラメータ保持手段に保持された前記前回パラメータ、および、前記調整量算出手段によって算出された調整量に基づいて前記次のパラメータを算出するパラメータ算出手段とを備える
ことを特徴とする請求項３記載の信号変換装置。
【請求項５】
前記調整量算出手段は、前記連続性指標の示す連続性が高いほど前記調整量が大きくなるように前記調整量を算出することを特徴とする請求項４記載の信号変換装置。
【請求項６】
前記パラメータ算出手段は、前記連続性状態が連続している旨を示す場合には前記前回パラメータの増減と同方向に前記調整量を加算もしくは減算し、前記連続性状態が連続していない旨を示す場合には前記前回パラメータの増減と反対方向に前記調整量を加算もしくは減算することによって前記次のパラメータを算出することを特徴とする請求項４記載の信号変換装置。
【請求項７】
時系列に設定されるパラメータに応じて入力信号を出力信号に変換する信号変換装置において、
前記出力信号に対する肯定または否定の評価値の入力を受け付ける評価入力受付手順と、
前記評価値の履歴に基づいて前記評価値の肯定または否定の連続性の程度および状態を生成する評価履歴管理手順と、
前記評価値の連続性の程度および状態に基づいて次のパラメータを生成するパラメータ生成手順と
を具備することを特徴とする信号変換方法。
【請求項８】
時系列に設定されるパラメータに応じて入力信号を出力信号に変換する信号変換装置において、
前記出力信号に対する肯定または否定の評価値の入力を受け付ける評価入力受付手順と、
前記評価値の履歴に基づいて前記評価値の肯定または否定の連続性の程度および状態を生成する評価履歴管理手順と、
前記評価値の連続性の程度および状態に基づいて次のパラメータを生成するパラメータ生成手順と
をコンピュータに実行させることを特徴とするプログラム。
【発明の詳細な説明】
【技術分野】
【０００１】
本発明は、信号変換装置に関し、特にユーザの嗜好に合わせた変換処理を行う信号変換装置、および、その処理方法ならびに当該方法をコンピュータに実行させるプログラムに関する。
【背景技術】
【０００２】
従来、テレビジョン受信装置やＤＶＤ（Digital Versatile Disk）再生装置などの映像装置では、当該装置において調整可能な項目がメニュー画面等によって提供され、これに従ってユーザが自分の調整したい項目について逐一調整するようになっている。例えば、各調整項目をメニュー表示する画像表示システムが提案されている（例えば、特許文献１参照。）。
【特許文献１】特開２００２−０５７９５９号公報（図１）
【発明の開示】
【発明が解決しようとする課題】
【０００３】
しかしながら、映像装置における調整項目は多岐に亘り、相互に影響を与える。例えば、ノイズリダクションの調整は、ノイズリダクションの値が高く設定されるほどノイズの低減効果が強まる一方で、細部の再現能力が劣って画像がぼけてしまうという副作用をもたらす。また、シャープネスの調整は、シャープネスの値が高く設定されるほど、細部の再現能力が向上する一方で、ノイズを強調してしまうという副作用をもたらす。このように、ノイズリダクションとシャープネスは、相反的な作用を有する特性を有し、これら二つの調整項目を同じ量で調整した場合は、お互いの副作用と効果が相殺し合うことになる。したがって、各調整項目を個別に調整した場合には、相次いで相殺点に嵌ってしまい、総合的にユーザの嗜好に合致した状態に安定させることは困難になる。
【０００４】
一方、このような調整項目間の影響による操作の煩雑さを解消するために、予めプリセットモードを設けて、それらの中からユーザに選択させる方法も考えられる。しかしながら、その場合にはユーザの選択の余地は極端に限られることになり、ユーザの嗜好に合致させることは難しい。
【０００５】
そこで、本発明は、映像装置における画像や音声などについてユーザの嗜好に合致した調整を行うことを目的とする。
【課題を解決するための手段】
【０００６】
本発明は、上記課題を解決するためになされたものであり、その第１の側面は、時系列に設定されるパラメータに応じて入力信号を出力信号に変換する変換手段と、上記出力信号に対する肯定または否定の評価値の入力を受け付ける評価入力受付手段と、上記評価値の履歴に基づいて上記評価値の肯定または否定の連続性の程度および状態を生成する評価履歴管理手段と、上記評価値の連続性の程度および状態に基づいて次のパラメータを生成するパラメータ生成手段とを具備することを特徴とする信号変換装置である。これにより、評価値の連続性の程度および状態に応じて信号変換のためのパラメータを設定して、評価値の履歴に合致するように信号を変換させるという作用をもたらす。
【０００７】
また、この第１の側面において、上記パラメータは上記変換のための少なくとも２種類のパラメータを含むものであってもよい。複数種類のパラメータを同時に調整することによって、それぞれのパラメータの相互作用を活かして信号を変換させるという作用をもたらす。
【０００８】
また、この第１の側面において、直前のパラメータによる上記出力信号に対する上記評価値を前回評価値として保持する前回評価値保持手段と、上記評価値の連続性の程度を連続性指標として保持する連続性指標保持手段と、上記評価値の連続性の状態を連続性状態として保持する連続性状態保持手段とをさらに具備し、上記評価履歴管理手段が上記評価入力受付手段によって受け付けられた評価値および上記前回評価値保持手段に保持された評価値に基づいて上記連続性指標保持手段および上記連続性状態保持手段を更新するようにしてもよい。これにより、評価値の履歴を連続性指標および連続性状態に反映させるという作用をもたらす。
【０００９】
また、この第１の側面において、直前のパラメータを前回パラメータとして保持する前回パラメータ保持手段と、上記前回パラメータの生成の際の調整量を前回調整量として保持する前回調整量保持手段とをさらに具備し、上記パラメータ生成手段は、上記連続性指標保持手段に保持された上記連続性指標、上記連続性状態保持手段に保持された上記連続性状態、および、上記前回調整量保持手段に保持された上記前回調整量に基づいて次のパラメータの生成のための調整量を算出する調整量算出手段と、上記連続性状態保持手段に保持された上記連続性状態、前回パラメータ保持手段に保持された上記前回パラメータ、および、上記調整量算出手段によって算出された調整量に基づいて上記次のパラメータを算出するパラメータ算出手段とを備えるようにしてもよい。これにより、連続性指標および連続性状態をパラメータの算出に反映させるという作用をもたらす。
【００１０】
また、この第１の側面において、上記調整量算出手段は上記連続性指標の示す連続性が高いほど上記調整量が大きくなるように上記調整量を算出してもよい。これにより、連続性が高いほどパラメータを大きく変化させるという作用をもたらす。
【００１１】
また、この第１の側面において、上記パラメータ算出手段は、上記連続性状態が連続している旨を示す場合には上記前回パラメータの増減と同方向に上記調整量を加算もしくは減算し、上記連続性状態が連続していない旨を示す場合には上記前回パラメータの増減と反対方向に上記調整量を加算もしくは減算することによって上記次のパラメータを算出してもよい。これにより、評価入力が連続している場合にはそのままの方向でパラメータを変化させ、連続していない場合には逆方向にパラメータを変化させるという作用をもたらす。
【００１２】
また、本発明の第２の側面は、時系列に設定されるパラメータに応じて入力信号を出力信号に変換する信号変換装置において、上記出力信号に対する肯定または否定の評価値の入力を受け付ける評価入力受付手順と、上記評価値の履歴に基づいて上記評価値の肯定または否定の連続性の程度および状態を生成する評価履歴管理手順と、上記評価値の連続性の程度および状態に基づいて次のパラメータを生成するパラメータ生成手順とを具備することを特徴とする信号変換方法またはこれら手順をコンピュータに実行させることを特徴とするプログラムである。これにより、評価値の連続性の程度および状態に応じて信号変換のためのパラメータを設定して、評価値の履歴に合致するように信号を変換させるという作用をもたらす。
【発明の効果】
【００１３】
本発明によれば、映像装置において、ユーザによる評価の履歴に基づいて調整を繰り返すことによって、ユーザの嗜好に合致した状態に安定させることができるという優れた効果を奏し得る。
【発明を実施するための最良の形態】
【００１４】
次に本発明の実施の形態について図面を参照して詳細に説明する。
【００１５】
図１は、本発明の実施の形態における映像装置の一具体例の放送受信装置３００の構成例を示す図である。この放送受信装置３００は、プロセッサ３１０と、メモリ３２０と、フラッシュメモリ３３０と、チューナ３４０と、復調部３５０と、デマルチプレクサ３６０と、音声復号部３６７と、画像復号部３６８と、デジタル−アナログ（Ｄ／Ａ）変換部３７０と、音声出力部３７７と、画像出力部３７８と、インターフェース３９０とを備える。これらはバス３８０により接続される。また、チューナ３４０には外部機器としてアンテナ３０９が接続される。
【００１６】
プロセッサ３１０は、放送受信装置３００全体の動作を制御するものである。メモリ３２０は、プロセッサ３１０の主記憶に該当し、プロセッサ３１０上で動作するプログラム等が記憶されるものである。フラッシュメモリ３３０は、不揮発性の記録媒体であり、放送受信装置３００の電源を切った後で再び必要とされる情報を保持するために使用される。従って、放送受信装置３００の電源が入ると、このフラッシュメモリ３３０の内容がメモリ３２０に転送されるようになっている。
【００１７】
チューナ３４０は、アンテナ３０９から供給された放送信号からプロセッサ３１０の制御によって所定チャンネルの信号を検波して復調部３５０に供給するものである。放送信号は、地上波でもよく、放送衛星（ＢＳ）放送や通信衛星（ＣＳ）放送による衛星信号でもよい。復調部３５０は、プロセッサ３１０の制御によりチューナ３４０からの放送信号を復調してデータを取り出してデマルチプレクサ３６０に供給するものである。デジタル放送の場合は、例えば位相変調（ＰＳＫ）等によりデジタル変調されており、復調部３５０はこのデジタル変調された信号からデータを取り出す。
【００１８】
デマルチプレクサ３６０は、復調部３５０からのデータを音声データと画像データとに分離して、音声復号部３６７および画像復号部３６８にそれぞれ供給するものである。デマルチプレクサ３６０は、デジタル放送の場合には例えばデジタルデータのトランスポートデコーダとして機能し、ＭＰＥＧ（Moving Picture Experts Group）−２のトランスポートストリームを音声データとしての音声ストリームと映像データとしての映像ストリームとに分離する。また、この場合、デマルチプレクサ３６０は、トランスポートストリーム中の番組仕様情報（ＰＳＩ）や番組配列情報（ＳＩ）を分離する。
【００１９】
音声復号部３６７および画像復号部３６８は、デマルチプレクサ３６０から供給された音声データおよび画像データをそれぞれ復号して、Ｄ／Ａ変換部３７０に供給するものである。例えば、ＭＰＥＧ符号化された音声ストリームおよび画像ストリームをＭＰＥＧ復号して、音声信号および画像信号とする。
【００２０】
Ｄ／Ａ変換部３７０は、音声復号部３６７および画像復号部３６８から供給されたデジタル信号をアナログ信号に変換して音声出力部３７７および画像出力部３７８に供給するものである。画像出力部３７８から出力された画像信号は（図示しない）ディスプレイに供給される。音声出力部３７７から出力された音声信号は（図示しない）スピーカに供給される。
【００２１】
インターフェース３９０は、外部からの操作入力を放送受信装置３００内部のバス３８０に接続するものである。このインターフェース３９０としては、例えば、リモートコントローラの受信器を備えることができる。
【００２２】
図２は、本発明の実施の形態における画像変換機能の一構成例を示す図である。ここでは、画像変換処理に必要なデータを保持するものとして、評価値保持部１１０と、連続性状態保持部１２０と、連続性指標保持部１３０と、調整量保持部１４０と、提案パラメータ保持部１５０とを備えている。また、画像変換処理を実現する機能として、評価入力受付部２１０と、評価履歴管理部２２０と、調整量更新部２４０と、提案パラメータ更新部２５０と、提案画質提示部２６０とを備えている。
【００２３】
評価入力受付部２１０は、現在表示されている画像の画質に関するユーザからの評価入力を受け付けるものである。現在表示されている画像は、後述する提案パラメータに基づいて表示されているものである。ユーザは、その提案パラメータに基づく画像について、その画像の画質が好みである（肯定評価）か、好みでない（否定評価）かを入力する。この評価入力は、信号線２０２を介して評価入力受付部２１０によって受け付けられる。
【００２４】
評価値保持部１１０は、前回のユーザからの評価入力の値を保持するものである。提案パラメータは時系列に設定されていくものであり、表示される画像も提案パラメータに従って変化していく。ユーザは、その度にその画像の画質について評価入力を行う。すなわち、評価値保持部１１０には前回の評価入力の値が保持され、評価入力受付部２１０には現在の評価入力の値が受け付けられることになる。
【００２５】
評価履歴管理部２２０は、評価値保持部１１０に保持された前回の評価入力の値と評価入力受付部２１０から供給された現在の評価入力の値とを比較して、これら評価入力の値の変化を検知するものである。そして、評価履歴管理部２２０は、その変化の履歴に応じて、連続性状態保持部１２０に保持される連続性状態および連続性指標保持部１３０に保持される連続性指標を以下のように更新して、管理する。
【００２６】
連続性状態保持部１２０は、評価入力の履歴が連続しているか否かの連続性状態を保持するものである。例えば、前回の評価入力の値が「肯定評価」で、前回の評価入力の値も「肯定評価」であれば「連続状態」であり、同様に、前回の評価入力の値が「否定評価」で、前回の評価入力の値も「否定評価」であればこれも「連続状態」である。一方、前回の評価入力の値が「肯定評価」で、前回の評価入力の値が「否定評価」であれば「非連続状態」であり、同様に、前回の評価入力の値が「否定評価」で、前回の評価入力の値が「肯定評価」であれば「非連続状態」である。
【００２７】
連続性指標保持部１３０は、評価入力の履歴の連続性の程度を示す連続性指標ｍを保持するものである。この連続性指標は、「連続状態」においては同じ評価が連続して入力された頻度を示し、「非連続状態」においては評価の反転が繰り返された頻度を示すものであり、前者の符号を負とし、後者の符号を正とする。すなわち、評価入力の反転が繰り返されると連続性指標は大きくなり、同じ評価が連続して入力されると連続性指標は小さくなる。
【００２８】
提案パラメータ保持部１５０は、前回および前々回の提案パラメータを保持するものである。また、調整量保持部１４０は、前回の提案パラメータを算出するために用いられた調整量を保持するものである。この調整量は「０」以上の絶対値であり、提案パラメータを算出する際の調整量の符号は、後述のように、連続性状態保持部１２０に保持される連続性状態と提案パラメータ保持部１５０に保持される前回および前々回の提案パラメータとに基づいて定められる。
【００２９】
調整量更新部２４０は、連続性状態保持部１２０に保持される連続性状態および連続性指標保持部１３０に保持される連続性指標に基づいて、調整量保持部１４０に保持される調整量を更新するものである。調整量は、「連続状態」においては増加するように更新され、「非連続状態」においては減少するように更新される。
【００３０】
例えば、前回の調整量をΔn-1とすると、今回の調整量Δnは、「連続状態」においては
Δn←Δn-1×（１＋δm）
により算出され、「非連続状態」においては
Δn←Δn-1×（１−δm）
により算出される。ここで、δmは連続性指標ｍに比例する値であり、
δm＜δm-1
を満たす。すなわち、δmは、連続性指標ｍが小さいほど大きな値を示す。
【００３１】
提案パラメータ更新部２５０は、連続性状態保持部１２０に保持される連続性状態、提案パラメータ保持部１５０に保持される前回および前々回の提案パラメータ、および、調整量保持部１４０に保持される調整量に基づいて、提案パラメータ保持部１５０に保持される提案パラメータを更新するものである。提案パラメータは、「連続状態」においては提案パラメータの増減方向と同方向に調整量を加算もしくは減算し、「非連続状態」においては提案パラメータの増減方向と反対方向に調整量を加算もしくは減算する。
【００３２】
例えば、前回の提案パラメータをＶn-1、前々回の提案パラメータをＶn-2とすると、今回の提案パラメータＶnは、「連続状態」においては
提案パラメータが増加（Ｖn-1＞Ｖn-2）の場合：Ｖn←Ｖn-1＋Δn
提案パラメータが減少（Ｖn-1＜Ｖn-2）の場合：Ｖn←Ｖn-1−Δn
となり、「非連続状態」においては
提案パラメータが増加（Ｖn-1＞Ｖn-2）の場合：Ｖn←Ｖn-1−Δn
提案パラメータが減少（Ｖn-1＜Ｖn-2）の場合：Ｖn←Ｖn-1＋Δn
となる。なお、前回および前々回の提案パラメータに変化がない場合には何れに分類してもよい。
【００３３】
ここで、提案パラメータは、複数種類のパラメータを含むことができる。画像の例であれば、明るさ、コントラスト、シャープネス、カンマ補正、色合い、ノイズリダクションなどを含み得る。また、その場合、複数種類のパラメータの各々は、それぞれ異なる調整量によって調整することができる。具体例については後述する。
【００３４】
提案画質提示部２６０は、提案パラメータ更新部２５０によって更新された提案パラメータに基づいて、信号線２０１を介して供給された画像信号を変換して信号線２０９に出力するものである。これにより、提案パラメータに沿った画質の画像がユーザに提示される。
【００３５】
これらの画像変換機能は、図１におけるプロセッサ３１０によって実現できる。ユーザによる評価入力はインターフェース３９０を介してプロセッサ３１０に供給され、提案パラメータに沿った画質の画像が画像出力部３７８から出力される。
【００３６】
図３は、本発明の実施の形態における連続性状態の遷移の一例を示す図である。連続性状態保持部１２０に保持される連続性状態は、ユーザによる評価入力の履歴が連続していれば連続状態１０を示し、連続していなければ非連続状態２０を示す。
【００３７】
連続状態１０は、さらに安定連続状態１１と準連続状態１２に区別される。準連続状態１２は非連続状態２０から遷移したばかりの状態である。安定連続状態１１は準連続状態１２からさらに連続して同じ評価入力がされた場合の状態である。したがって、継続して連続状態１０にある場合には安定連続状態１１となる。
【００３８】
非連続状態２０は、さらに安定非連続状態２１と準非連続状態２２に区別される。準非連続状態２２は連続状態１０から遷移したばかりの状態である。安定非連続状態２１は準非連続状態２２からさらに連続して異なる評価入力がされた場合の状態である。したがって、継続して非連続状態２０にある場合には安定非連続状態２１となる。
【００３９】
連続性指標保持部１３０に保持される連続性指標ｍは、連続性状態の遷移に従って更新される。準連続状態１２においてさらに連続して同じ評価入力がされた場合には、安定連続状態１１に遷移するとともに連続性指標ｍは「１」減算される。一方、準連続状態１２において前回とは異なる評価入力がされた場合には、準非連続状態２２に遷移するとともに連続性指標ｍは「１」加算される。
【００４０】
安定連続状態１１においてさらに連続して同じ評価入力がされた場合には、安定連続状態１１をとりつつ連続性指標ｍは「１」減算される。一方、安定連続状態１１において前回とは異なる評価入力がされた場合には、準非連続状態２２に遷移するとともに連続性指標ｍは「０」にリセットされる。
【００４１】
準非連続状態２２において前回とは異なる評価入力がされた場合には、安定非連続状態２１に遷移するとともに連続性指標ｍは「１」加算される。一方、準非連続状態２２において前回と同じ評価入力がされた場合には、準連続状態１２に遷移するとともに連続性指標ｍは「１」減算される。
【００４２】
安定非連続状態２１において前回とは異なる評価入力がされた場合には、安定非連続状態２１をとりつつ連続性指標ｍは「１」加算される。一方、安定非連続状態２１において前回と同じ評価入力がされた場合には、準連続状態１２に遷移するとともに連続性指標ｍは「０」にリセットされる。
【００４３】
このように、連続状態１０から非連続状態２０に遷移し、または、非連続状態２０から連続状態１０に遷移すると、一時的な場合を除いて連続性指標ｍがリセットされる。そして、連続状態１０においては連続性指標ｍが減算され、非連続状態２０においては連続性指標ｍが加算される。これにより、評価入力の反転が繰り返されると連続性指標ｍは大きくなり、同じ評価が連続して入力されると連続性指標ｍは小さくなるように更新される。
【００４４】
図４は、本発明の実施の形態における評価入力の様子を示す図である。放送受信装置３００の画面上には、一例として、向かって左側に前回の提案パラメータによる画像３０１と、向かって右側に今回の提案パラメータによる画像３０２が表示されている。ユーザは、今回の画像３０２が嗜好に合致するものか否かを評価して、リモートコントローラ４００によって肯定または否定の入力を行う。
【００４５】
リモートコントローラ４００は、肯定または否定の評価入力が可能なものであればどのようなものでもよいが、例えば、肯定入力ボタン４０１および否定入力ボタン４０２を備えることによって、評価入力を容易にすることができる。
【００４６】
図５は、本発明の実施の形態における評価入力の具体例を示す図である。図５（ａ）は、既に左側の画像が肯定評価されていて、次の画像として右側の画像が提案されている状態を示している。ここで、ユーザによって肯定の評価入力がされると、図５（ｂ）のように左側に前回肯定された画像が表示され、右側には次に提案される画像が表示される。
【００４７】
図５（ｂ）の表示において、ユーザによって否定の評価入力がされると、図５（ｃ）のように左側の画像はそのまま維持され、右側には次に提案される画像が表示される。そして、ユーザによって肯定の評価入力がされると、図５（ｄ）のように左側に前回肯定された画像が表示される。ここで、ユーザが評価入力を中止すると、最後に肯定された画像の画質が採用される。
【００４８】
図６は、本発明の実施の形態におけるパラメータ調整の具体例を示す図である。ここでは、相反的な作用を有するノイズリダクションおよびシャープネスを同時に調整する例について説明する。図６においてノイズリダクションは一点鎖線、シャープネスは破線によってそれぞれ示されている。
【００４９】
初期値として、イベント＃０では、ノイズリダクションにはパラメータの最大値、シャープネスにはパラメータの最小値が設定されるものと想定する。そして、この最初の提案パラメータに対して、ユーザは「肯定」の評価入力を行ったものとする。なお、このときの連続性指標ｍは「０」である。
【００５０】
次のパラメータとして、イベント＃１では、ノイズリダクションは最大値よりも少し小さく、シャープネスは最小値よりも少し大きくなるように調整される。この提案パラメータについても「肯定」の評価入力がされたものとする。これにより、「肯定」の評価入力が連続したことになるため、連続性状態は「連続状態」となる。また、連続性指標ｍは「０」から「−１」に減算される。
【００５１】
その後、提案パラメータに対して「肯定」の評価入力が続けて行われるにつれて連続性指標ｍは減少して、提案パラメータの調整量は増加していく。そして、イベント＃４において評価入力は「否定」に反転する。これにより、連続性状態は「非連続状態」となり、連続性指標ｍは「０」にリセットされる。
【００５２】
その後、提案パラメータは増減の方向を反対にして、ノイズリダクションは増加、シャープネスは減少する。「否定」の評価入力が続けて行われることによって連続性状態は「非連続状態」となり、連続性指標ｍが減少するにつれて提案パラメータの調整量は増加していく。そして、イベント＃７において評価入力は「否定」に反転する。これにより、連続性状態は「非連続状態」となり、連続性指標ｍは「０」にリセットされる。
【００５３】
その後、イベント＃１１まで評価入力は反転を繰り返す。これにより、連続性指標ｍが増加して、ノイズリダクションおよびシャープネスの調整量は減少していく。そして、イベント＃１２では「肯定」の評価入力が行われて「連続状態」となり、連続性指標ｍは「０」にリセットされる。
【００５４】
その後、イベント＃１４において「否定」の評価入力が行われることにより「非連続状態」となるが、イベント＃１６まで「否定」の評価入力が連続するため、「連続状態」となる。そして、イベント＃１７から１９まで「肯定」の評価入力が行われた後、イベント＃２０以降は評価入力が「否定」および「肯定」の反転を繰り返す。これにより、連続性指標ｍは増加していき、ノイズリダクションおよびシャープネスの調整量は収束する。
【００５５】
次に本発明の実施の形態における放送受信装置３００の画像変換動作について図面を参照して説明する。
【００５６】
図７は、本発明の実施の形態における画像変換動作の処理手順の一例を示す図である。まず、評価入力受付部２１０では、提示されている提案画質についてユーザによる評価入力が受け付けられる（ステップＳ９１１）。そして、評価履歴管理部２２０において、今回の評価入力による評価値と、評価値保持部１１０に保持されている前回の評価値に基づいて、連続性状態保持部１２０に保持されている連続性状態が更新されるとともに（ステップＳ９１２）、連続性指標保持部１３０に保持されている連続性指標が更新される（ステップＳ９１３）。また、今回の評価入力による評価値が評価値保持部１１０に保存される（ステップＳ９１４）。
【００５７】
調整量更新部２４０では、連続性状態および連続性指標に基づいて、調整量保持部１４０に保持されている調整量が更新される（ステップＳ９１５）。さらに、提案パラメータ更新部２５０では、連続性状態、連続性指標および調整量に基づいて、提案パラメータ保持部１５０に保持されている提案パラメータが更新される（ステップＳ９１６）。これにより、提案画質提示部２６０によって新たな提案パラメータによる画像が提示される（ステップＳ９１７）。
【００５８】
ユーザが画質に満足して次の提案を必要としなければ調整は終了するが、次の提案を必要とする場合にはステップＳ９１１以降の処理を繰り返す（ステップＳ９１９）。
【００５９】
このように、本発明の実施の形態によれば、評価履歴管理部２２０において評価値の履歴に応じて連続性状態および連続性指標が更新され、これら連続性状態および連続性指標に基づいて提案パラメータ更新部２５０によって提案パラメータが更新されて、この提案パラメータによる画像が提示されていくことにより、ユーザの嗜好に沿った画質の調整を行うことができる。
【００６０】
なお、本発明の実施の形態では放送受信装置３００による受信画像の画質の調整例について説明したが、本発明はこれに限定されるものではなく、信号変換全般に適用することができる。例えば、音声についても音量、左右バランス、低音強調などのパラメータを調整してユーザの嗜好に合致させることができる。
【００６１】
また、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００６２】
すなわち、請求項１において、変換手段は例えば提案画質提示部２６０に対応する。また、評価入力受付手段は例えば評価入力受付部２１０に対応する。また、評価履歴管理手段は例えば評価履歴管理部２２０に対応する。また、パラメータ生成手段は例えば調整量更新部２４０および提案パラメータ更新部２５０に対応する。
【００６３】
また、請求項３において、前回評価値保持手段は例えば評価値保持部１１０に対応する。また、連続性指標保持手段は例えば連続性指標保持部１３０に対応する。また、連続性状態保持手段は例えば連続性状態保持部１２０に対応する。
【００６４】
また、請求項４において、前回パラメータ保持手段は例えば提案パラメータ保持部１５０に対応する。また、前回調整量保持手段は例えば調整量保持部１４０に対応する。また、調整量算出手段は例えば調整量更新部２４０に対応する。また、パラメータ算出手段は例えば提案パラメータ更新部２５０に対応する。
【００６５】
また、請求項７および８において、評価入力受付手順は例えばステップＳ９１１に対応する。また、評価履歴管理手順は例えばステップＳ９１２およびＳ９１３に対応する。また、パラメータ生成手順は例えばステップＳ９１６に対応する。
【００６６】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００６７】
【図１】本発明の実施の形態における映像装置の一具体例の放送受信装置３００の構成例を示す図である。
【図２】本発明の実施の形態における画像変換機能の一構成例を示す図である。
【図３】本発明の実施の形態における連続性状態の遷移の一例を示す図である。
【図４】本発明の実施の形態における評価入力の様子を示す図である。
【図５】本発明の実施の形態における評価入力の具体例を示す図である。
【図６】本発明の実施の形態におけるパラメータ調整の具体例を示す図である。
【図７】本発明の実施の形態における画像変換動作の処理手順の一例を示す図である。
【符号の説明】
【００６８】
１１０  評価値保持部
１２０  連続性状態保持部
１３０  連続性指標保持部
１４０  調整量保持部
１５０  提案パラメータ保持部
２１０  評価入力受付部
２２０  評価履歴管理部
２４０  調整量更新部
２５０  提案パラメータ更新部
２６０  提案画質提示部
３００  放送受信装置
３０９  アンテナ
３１０  プロセッサ
３２０  メモリ
３３０  フラッシュメモリ
３４０  チューナ
３５０  復調部
３６０  デマルチプレクサ
３６７  音声復号部
３６８  画像復号部
３７０  変換部
３７７  音声出力部
３７８  画像出力部
３８０  バス
３９０  インターフェース
４００  リモートコントローラ
４０１  肯定入力ボタン
４０２  否定入力ボタン
【図１】
2007306520.tif 000003
【図２】
2007306520.tif 000004
【図３】
2007306520.tif 000005
【図４】
2007306520.tif 000006
【図６】
2007306520.tif 000007
【図７】
2007306520.tif 000008
【図５】
2007306520.tif 000009